(57)【特許請求の範囲】
【請求項１】
板状であって電線の位置決めを行うための溝がそれぞれ設けられこの溝が向い合うように位置決めされた２枚の挟み板と、
この挟み板の同じ辺に設けられ端部が互いに離れて位置するよう設けられた押さえ板と、
前記挟み板が互いに密着するように付勢する挟み板付勢手段と、
前記挟み板の一方の表面に一方の端部を軸にし他方の端部が回転可能に設けられると共に前記回転可能な端部の回転軌跡上に前記溝に挟まれた電線の延長線上の所定の位置が重なるよう設けられた長尺の接続端子と、
前記接続端子の回転可能な端部が前記電線の延長線上の所定の位置に対して付勢されるよう前記接続端子を回転に付勢する接続端子付勢手段と
を備えたことを特徴とする端子。
【請求項２】
請求項１記載の端子であって、少なくとも前記押さえ板の表面を絶縁体で構成したことを特徴とする端子。
【請求項３】
請求項１記載の端子であって、前記長尺の接続端子が前記電線の延長線上の所定の位置から離した位置で固定可能なストッパーを備えたことを特徴とする端子。
【請求項４】
請求項１記載の端子であって、前記長尺の接続端子に測定器等からの電線を接続可能な接続部を設けたことを特徴とする端子。
【発明の詳細な説明】
【０００１】
【発明の属する技術分野】
本発明は、ブレーカー等の機器の端子に測定器等を接続するための端子に関する。
【０００２】
【従来の技術】
ブレーカー等の機器（以下、便宜上ブレーカーという）に測定器を接続して電圧、電力、電力量等を測定する場合、ブレーカーの接続端子に接続されている配電線に接続する必要があり、従来では一度ブレーカーの接続端子から配電線を外して測定器を挿入して配線しなおしたり、ブレーカーの接続端子にワニ口クリップを接続して測定器を接続する等の方法が取られていた。
【０００３】
しかし、前述の配電線をブレーカーから外す方法では測定器の接続は確実に行えるものの停電が伴い、またワニ口クリップをブレーカーの接続端子に接続する方法では、ワニ口クリップが外れやすいという問題がある。
【０００４】
図７は、一般的なブレーカーの接続端子部分の構成図であるが、電線４はネジ１４により端子台１３に固定されており、ワニ口クリップはネジ２を挟むように取り付けられる。
【０００５】
【発明が解決しようとする課題】
特にワニ口クリップを用いて接続を行う場合、年々ブレーカーは小形化が図られておりそれに伴い端子台１３も小形になってきている都合上、個々のネジ１４の周囲には余裕がなく、ワニ口クリップを取り付けることが困難であり、また取り付けられたとしても無理に取り付けざるをえないため外れやすくなりやすいという課題があった。
【０００６】
【課題を解決するための手段】
上記課題を解決するため、本発明は、板状であって電線の位置決めを行うための溝がそれぞれ設けられこの溝が向い合うように位置決めされた２枚の挟み板と、この挟み板の同じ辺に設けられ端部が互いに離れて位置するよう設けられた押さえ板と、挟み板が互いに密着するように付勢する挟み板付勢手段と、挟み板の一方の表面に一方の端部を軸にし他方の端部が回転可能に設けられると共に回転可能な端部の回転軌跡上に溝に挟まれた電線の延長線上の所定の位置が重なるよう設けられた長尺の接続端子と、接続端子の回転可能な端部が前記電線の延長線上の所定の位置に対して付勢されるよう接続端子を回転に付勢する接続端子付勢手段とを備えたことを特徴とする。
【００１０】
これにより、本端子をブレーカーの端子に前記長尺の接続端子の先端が位置するようにして電線に取り付けるだけで、ワニ口クリップ等を用いる事なく安定して前記長尺の接続端子をブレーカーの端子に接続させる事が可能となった。
【００１１】
また、押さえ板の表面を絶縁体で構成する。
このような構成において、作業員等が本端子の挟み板に電線を挟むには、押さえ板を挟んで２枚の挟み板を押し開き、電線を溝に位置させた後に押さえ板を放して電線を挟み板に挟み込む操作が必要になるが、その際作業員等が絶縁手袋等をしていなくても押さえ板自身が絶縁されているので感電することがない。
【００１２】
また、長尺の接続端子は、電線の延長線上の所定の位置から離した位置で固定可能なストッパーを備えるように構成する。
このような構成において、本端子の取り付けがより容易になる。
更に、長尺の接続端子に測定器等からの電線を接続するための接続部を設けても良い。
【００１４】
【発明の実施の形態】
本発明の実施例を図１〜図６を用いて説明する。
図１〜図５記載の技術は、第１実施例を説明する図であり、図６は第２実施例を説明する図である。
【００１５】
図１は第１実施例の端子の斜視図であり、図２は同実施例の横断面図、図３は同実施例の縦断面図である。
１は挟み板としてのクリップ２，３に設けられ電線４を位置決めしてクリップ２，３に挟み込むための溝であり、５及び６はそれぞれ前記クリップ２，３に設けられクリップ止めピン７を軸として前記クリップ２，３を開閉させるための押さえ板である。
【００１６】
前記クリップ止めピン７には常に前記クリップ２，３を密着させるよう付勢している付勢手段としてスプリング８が設けられており、前記クリップ２，３を開く場合には前記押さえ板５，６を上下から押圧する。
【００１７】
前記２つのクリップの一方には、図７に示す端子台１３のネジ１４に先端が接触する長尺の接続端子としてのハンマー９が設けられている。
このハンマー９の構成を図２及び図３に示す。
【００１８】
ハンマー９は、クリップ２に固定されたハンマーピン１０にハンマー取付板１１を介して回動自在に取り付けられ、スプリング１２により矢印方向に付勢されている。またハンマー９は、その頂部が端子台１３のネジ１４に接触するように、クリップ２，３に設けられた溝１に沿って沿在するよう設けられている。
【００１９】
このように構成された端子の取り付けは、図４に示すように押さえ板５，６を上下から押さえてクリップ２，３を開き、溝１に電線４を位置させた状態でクリップ２，３を閉じて行う。
【００２０】
この際、クリップ２，３が閉じた状態でハンマー９の頂部がネジ１４の位置になるようにして電線４に取り付ければ、ハンマー９の頂部は常に付勢されてネジ１４に押圧される。
【００２１】
このため、ハンマー９を導体で構成し、このハンマー９に測定器を接続することにより測定を行うことが可能となる。
本第１実施例の端子によれば、端子台１３に接続されている電線４に固定した端子から緩衝材であるスプリング１２を介して接続端子であるハンマー９をネジ１４に接触させる構成としたため、無理な接続になることがなく容易に安定した接続状態を保つことが可能となった。
【００２２】
また、ハンマー９がネジ１４に付勢されるとクリップ２，３には図２の矢印とは逆方向の回転モーメントが働くため、電線４の剛性が十分でないとクリップ２，３の取り付けが安定しない場合がある。このため、実施例では前記回転モーメントに抗してクリップ２，３を安定させるためのストッパー１５を設けている。
【００２３】
以上の第１実施例では電線４と平行にクリップ２，３が開閉する構成としたが、図６に示す第２実施例のように電線４に垂直にクリップ２，３が開閉する構成としてもよい。
【００２４】
【発明の効果】
本発明によれば、測定器をブレーカー等に取り付ける場合に電線をブレーカーから取り外す必要がないので停電させることがなく、またワニ口クリップを端子台の電線取り付けネジに取り付ける必要もないので安定した接続を保つことが可能となった。
【図面の簡単な説明】
【図１】本発明に係る第１実施例の構成を説明する斜視図。
【図２】本発明に係る第１実施例の構成を説明する断面図。
【図３】本発明に係る第１実施例の構成を説明する断面図。
【図４】本発明に係る第１実施例の動作を説明する構成図。
【図５】本発明に係る第１実施例の構成を説明する断面図。
【図６】本発明に係る第２実施例の構成を説明する斜視図。
【図７】本発明の従来技術を説明する構成図。
【符号の説明】
１…溝，２，３…クリップ，４…電線，５，６…押さえ板，７…クリップ止めピン，８，１２…スプリング，９…ハンマー，１０…ハンマーピン，１１…ハンマー取付板，１３…端子台，１４…ネジ，１５…ストッパー
【図１】
0003562935.tif 000002
【図２】
0003562935.tif 000003
【図３】
0003562935.tif 000004
【図４】
0003562935.tif 000005
【図５】
0003562935.tif 000006
【図６】
0003562935.tif 000007
【図７】
0003562935.tif 000008